(57)【特許請求の範囲】
【請求項１】
遊技機前面に設けられ、遊技情報を表示可能な表示装置と、前記表示装置の前方に配置され、前記表示装置の表示領域を開閉可能な開閉装置とを備えた遊技機において、
前記開閉装置は、前記表示領域を挟んで左右方向へ移動することにより、前記表示領域を遮蔽及び開放可能な左右の扉部材と、当該左右の扉部材をそれぞれ左右方向へ移動させるための駆動装置とを備え、
前記左右の扉部材は、前記表示領域を遮蔽する遮蔽位置にあるとき、前記表示領域に表示される遊技情報を透視可能な透視部材または半透視可能な半透視部材から形成された透視領域部と、前記遊技情報を透視不能とし、かつ板厚が前記透視領域部の板厚よりも厚く形成される不透視部とをそれぞれ含み、前記遮蔽位置にあるとき、左右の前記透視領域部の内側端部同士が互いに当接し、かつ当該当接し合う合わせ部分に、前記不透視部が存在しない構成であり、
前記左右の透視領域部は、前記合わせ部分に沿って上下方向に延びる直線状の辺と、当該直線状の辺の上下端から前記左右の扉部材の開方向に延びる円弧状の辺とからなる半円形をなし、さらに、前記左右の扉部材が前記遮蔽位置にあるとき、前記左右の透視領域部の前記合わせ部分が互いに当接することにより正面視円形の透視領域を形成し、
前記左右の透視領域部に、所定の模様の線画を描画し、
前記左右の扉部材が前記遮蔽位置にあるとき、前記遊技情報に前記線画を組み合わせた演出の表示を可能にしたことを特徴とする遊技機。
【発明の詳細な説明】
【技術分野】
【０００１】
本発明は、遊技情報を表示可能な表示領域を開閉可能な開閉装置を備えた遊技機に関する。
【背景技術】
【０００２】
遊技機としてのスロットマシンにおいて、遊技機前面に設けられ、各種遊技情報を表示可能な表示装置の前面に、左右方向へ直線移動可能な左右の扉部材を設け、遊技状況に応じて、左右の扉部材を駆動装置の動力により左右方向へ移動させることにより、表示装置の表示領域を遮蔽したり開放したりして、多彩な演出を行い得るようにしたものがある（例えば、特許文献１参照）。
【特許文献１】特開２００４−３５０９８８号公報
【発明の開示】
【発明が解決しようとする課題】
【０００３】
上述のような遊技機において、扉部材が表示領域を遮蔽する遮蔽位置にあるときでも、表示領域に表示される遊技情報を扉部材越しに透視または半透視可能として、扉部材による演出を盛り上げるようにしたものがある。この場合、扉部材は、遊技情報を透視または半透視可能とするため、板厚が薄い透明または半透明のアクリル合成樹脂板等により形成される。また、扉部材の剛性を高めるため、扉部材の外周には、枠状の補強部が設けられる。この補強部は、強度的に有利なように板厚が厚く形成される関係上、表示領域に表示される遊技情報が透視できない不透視部を形成する。この結果、左右の扉部材が遮蔽位置にあるとき、左右の扉部材の内側端部同士が当接し合う合わせ部分に、不透視部が存在し、この不透視部により表示領域に表示される遊技情報が遮られて、遊技情報の一部が透視不能となり、演出効果が半減することとなる。
【０００４】
本発明は、従来の問題に鑑みてなされたもので、左右の扉部材が遮蔽位置にあるとき、左右の扉部材の合わせ部分に不透視部が存在しないようにして、演出効果を最大限に発揮できるようにした遊技機を提供することを目的とする。
【課題を解決するための手段】
【０００５】
本発明によると、上記課題は、次のようにして解決される。
遊技機前面に設けられ、遊技情報を表示可能な表示装置と、前記表示装置の前方に配置され、前記表示装置の表示領域を開閉可能な開閉装置とを備えた遊技機において、前記開閉装置は、前記表示領域を挟んで左右方向へ移動することにより、前記表示領域を遮蔽及び開放可能な左右の扉部材と、当該左右の扉部材をそれぞれ左右方向へ移動させるための駆動装置とを備え、前記左右の扉部材は、前記表示領域を遮蔽する遮蔽位置にあるとき、前記表示領域に表示される遊技情報を透視可能な透視部材または半透視可能な半透視部材から形成された透視領域部と、前記遊技情報を透視不能とし、かつ板厚が前記透視領域部の板厚よりも厚く形成される不透視部とをそれぞれ含み、前記遮蔽位置にあるとき、左右の前記透視領域部の内側端部同士が互いに当接し、かつ当該当接し合う合わせ部分に、前記不透視部が存在しない構成であり、前記左右の透視領域部は、前記合わせ部分に沿って上下方向に延びる直線状の辺と、当該直線状の辺の上下端から前記左右の扉部材の開方向に延びる円弧状の辺とからなる半円形をなし、さらに、前記左右の扉部材が前記遮蔽位置にあるとき、前記左右の透視領域部の前記合わせ部分が互いに当接することにより正面視円形の透視領域を形成し、前記左右の透視領域部に、所定の模様の線画を描画し、前記左右の扉部材が前記遮蔽位置にあるとき、前記遊技情報に前記線画を組み合わせた演出の表示を可能にする。
【発明の効果】
【０００８】
本発明によれば、次のような効果が奏せられる。
請求項１記載の発明によると、左右の扉部材が遮蔽位置にあるとき、左右の透視領域部同士の内側端部同士が当接し合う合わせ部分に、不透視部が存在しないため、表示領域に表示される遊技情報を、透視領域部越しに切れ目無く透視することができ、演出効果を最大限に発揮することができる。
【発明を実施するための最良の形態】
【００１１】
図１は、本発明を適用した遊技機の斜視図である。なお、以下の説明においては、図１における左斜め下方を「前方」とし、右斜め上方を「後方」とし、左斜め上方を「左方」とし、右斜め下方を「右方」とする。
【００１２】
遊技機（スロットマシン）１は、外周面に複数種類の図柄が描かれた左、中、右３個の回転リール２及びその他の各種遊技機器を収容した筐体３と、筐体３の前面に開閉可能に設けられた合成樹脂製の前扉４を備え、遊技媒体をなす円板状のメダル（コインも含む）を、前扉４の前面右側に設けたメダル投入部２０に投入することによって所定のゲームが行われるものである。
【００１３】
遊技機１の遊技は、遊技者がメダルをメダル投入部４に投入するか、または、前扉３の前面に設けられたベットボタン８により予め投入したメダル枚数を電気的に記憶されたクレジット状態のメダルの賭数を設定した後、スタートレバー９を操作して、全ての回転リール５を回転させることによって開始される。
【００１４】
回転リール２が回転して所定時間が経過した後、前扉４の前面に設けられた３個のストップボタン２３を順次操作して、各回転リール２の回転を停止させ、停止した３個の回転リール２の図柄の組み合わせにより、入賞の有無、及び賞の大小に応じたメダルの配当枚数が確定され、入賞した場合には、予め定めた枚数のメダルが前扉４の下部に設けたメダル受皿４１に払い出される。
【００１５】
前扉４における前面のほぼ中央には、各回転リール２の図柄を３こまずつ視認可能な透視窓４２が設けられ、また同じく上部には、表示ユニット５が設けられている。
【００１６】
図２は、表示ユニット５の正面図、図３は、表示枠６を外した状態の表示ユニット５の正面図、図４は、斜め前方から見た表示ユニット５の分解斜視図、図５は、斜め後方から見た表示ユニット５の分解斜視図である。
【００１７】
表示ユニット５は、遊技状況に応じて、光源が点灯、点滅したり、後述の表示領域７１に各種遊技情報を表示させたり、表示領域７１を遮蔽したり開放したりして遊技を演出するものであり、主に図４、５に示すように、前扉４の前面上部に固定される合成樹脂製の表示枠６と、遊技状況に応じた遊技情報を表示可能な表示領域７１を有する表示装置７と、遊技状況に応じて表示領域７１を開閉する開閉装置８と、開閉装置８に動力を伝達するための前扉部材用駆動装置１０Ａ及び後扉部材用駆動装置１０Ｂと、表示枠６、表示装置７、開閉装置８及び各駆動装置１０Ａ、１０Ｂが取り付けられる合成樹脂製のベース部材１１と、遊技状況に応じて点灯、点滅したりして照明により遊技を演出するセンター照明装置１２及び左右のサイド照明装置１３、１３とを備えている。
【００１８】
センター照明装置１２は、図２に示すように、ＬＥＤ等の単一色の多数の光源１２１と、表示枠６の前面上部中央に固定され、内部に配置される光源１２１が発する光を屈折、拡散して様々な方向から光を確認できるようにした着色合成樹脂製のセンターレンズ１２２とを含んでいる。
【００１９】
サイド照明装置１３は、ＬＥＤ等のフルカラーの多数の光源１３１と、表示枠６の表面左右上部に固定され、内部に配置される光源１３１が発する光を屈折、拡散して様々な方向から光を確認できるようにした透明合成樹脂製のサイドレンズ１３２とを含んでいる。
【００２０】
表示装置７は、ベース部材１１の裏面側に固定されるとともに、前面に液晶等で構成される表示領域７１を有し、遊技状況に応じた遊技情報を表示領域７１に表示することによって遊技の演出を盛り上げるものである。なお、表示装置７は、表示領域７１に表示される遊技情報が遊技者から見やすいように若干前傾姿勢で取り付けられる。
【００２１】
ベース部材１１は、表示枠６と共に前扉４の上部に固定されるとともに、表示装置７の表示領域７１の大きさに相当する開口１１１を有し、開口１１１の裏面側両側部には、演出のための効果音を発生する左右のスピーカ１４が取り付けられている。
【００２２】
開閉装置８は、表示装置７における表示画面７１を挟むように、表示画面７１の前面に沿って左右方向へ直線移動可能な左右の前扉部材８１及び後扉部材８２と、前扉部材８１及び後扉部材８２をそれぞれ左右方向へ移動可能に支持するためのガイド手段９とを備える。なお、開閉装置８は、表示装置７の前傾姿勢に合わせて、若干前傾姿勢で取り付けられる。
【００２３】
ガイド手段９は、ベース部材１１の前面に複数のボルト等（図示略）により固定される左右方向を向く上側ガイド９１及び下側ガイド９２と、上側ガイド９１と下側ガイド９２とを上下に連結する左右の連結板９３、９３とを有している。
【００２４】
上側ガイド９１は、左右の前扉部材８１の上部を左右方向へ移動可能に支持するための前扉部材用上部レール９１１と、左右の後扉部材８２の上部を左右方向へ移動可能に支持するための後扉部材用上部レール９１２を有している。
【００２５】
前、後扉部材用上部レール９１１、９１２は、互いに平行に配置されるとともに、縦断面形状がほぼ下向き開口コ字型をなしている。前扉部材用上部レール９１１は、表示領域７１の外側になるように、すなわち後扉部材用上部レール９１２の上部に固定される。換言すると、前扉部材用上部レール９１１及び後扉部材用上部レール９１２は、互いに上下方向に重畳するように配置される。これにより、上側ガイド９１における前後方向の取付けスペースを、１本のレールの前後幅に抑えることができるため、上側ガイド９１が前扉４の上部に配置されるセンター照明装置１２、サイド照明装置１３等に干渉することがなくなり、センター照明装置１２やサイド照明装置１３等の他部品の配置に与える影響を最小限に抑えることができる。
【００２６】
下側ガイド９２は、左右の前扉部材８１の下部を左右方向へ移動可能に支持するための前扉部材用下部レール９２１と、左右の後扉部材８２の下部を左右方向へ移動可能に支持するための後扉部材用下部レール９２２を有している。
【００２７】
前、後扉部材用下部レール９２１、９２２は、互いに平行に配置されるとともに、縦断面形状がほぼ上向き開口コ字型をなしている。後扉部材用下部レール９２２は、前扉部材用下部レール９２１の後部に固定される。換言すると、前扉部材用下部レール９２１及び後扉部材用下部レール９２２は、互いに前後方向に重畳するように配置される。これにより、前、後扉部材８１、８２の下部を安定した状態で支持することができる。
【００２８】
左右の連結板９３は、表示装置７の表示領域７１を遮ることがないように、互いに左右方向へ隔てて配置され、その上端部は、後扉部材用上部レール９１２の前面に連結され、また、同じく下端部は、前扉部材用下部レール９２１の後面と後扉部材用下部レール９２２の前面との間に連結される。
【００２９】
このように、左右の連結板９３により、上側ガイド９１と下側ガイド９２とを上下に連結することにより、ガイド手段９の剛性を高めて、上側ガイド９１と下側ガイド９２とを常に平行に保ち、各扉部材８１、８２の円滑な作動を保証する。また、下側ガイド９２においては、連結板９３を境にして、その前側に前扉部材用下部レール９２１が配置され、また後側に後扉部材用下部レール９２２が配置されるため、前、後扉部材８１、８２の重さが前後に均等に作用し、前、後扉部材８１、８２をバランス良く支持することができる。なお、本実施形態における左右の連結板９３は、後扉部材用下部レール９２２の一部を上方へ折曲することによって形成される。
【００３０】
左右の前扉部材８１は、全体が合成樹脂で形成されるとともに、上部に設けられた上スライド部８１３が前扉部材用上部レール９１１に左右方向に移動可能に係合し、また、下部に設けられた下スライド部８１４が前扉部材用下部レール９２１に左右方向へ移動可能に係合することにより、表示領域７１及び連結板９３の前面に沿って左右方向へ移動可能に支持され、表示領域７１を遮蔽する遮蔽位置（図２及び図１２(ａ)(ｂ)参照）と開放する開放位置（図１、３及び図１２(ｃ)(ｄ)）とを間を直線移動する。なお、上、下部スライド部８１３、８１４は、正面視において表示領域７１外を移動する位置に設けられる。
【００３１】
図１１に示すように、前扉部材８１の上スライド部８１３は、前扉部材８１の上部後面から後方へ突出形成され、前扉部材用上部レール９１１の下部と後扉部材用上部レール９１２の上部との間の隙間から進入して、前扉部材用上部レール９１１内に摺動可能に係合する。なお、上スライド部８１３には、前扉部材用上部レール９１１内を転動する垂直軸廻りに回転するローラ８１７及び水平軸廻りに回転するローラ８１８が設けられている。また、下スライド部８１４にも、前扉部材用下部レール９２１内を転動する垂直軸廻りに回転するローラ（図示略）及び水平軸廻りに回転するローラ（図示略）が設けられている。
【００３２】
上スライド部８１３の後面には、ラック８１６が左右方向に沿って設けられている。このラック８１６は、図１１に示すように、前扉部材用上部レール９１１の下部と後扉部材用レール９１２の上部間の隙間に露呈し、前扉部材用駆動装置１０Ａにおける後述のピニオン１０１に噛合する。
【００３３】
前扉部材８１には、合成樹脂製の透視領域部８１１及び不透視領域部８１２が設けられている。透視領域部８１１は、図２、３に示すように、透明または半透明のアクリル合成樹脂板により正面視ほぼ半月形状に形成され、内側端部（左右の前扉部材８１の合わせ部分）を除く周縁部が不透視領域部８１２の裏面に固定されている。不透視領域部８１２には、前扉部材８１の剛性を高めるため、透視領域部８１１の円弧部分の外周に沿って前方へ突出する突条部８１５が一体的に形成されている。
【００３４】
なお、本発明の実施形態に係わる前扉部材８１における不透視部は、上、下スライド部８１３、８１４及び不透視領域部８１２を含み、これらは、前扉部材８１、特に透明領域部８１１を補強するため、透明領域部８１１の板厚より厚く形成される。
【００３５】
透視領域部８１１は、円周部分が不透視領域部８１２の突条部８１５の裏側に固定されることにより、板厚が薄いアクリル樹脂板により形成してもその剛性は保たれる。また、左右の前扉部材８１が遮蔽位置にあるとき、左右の透視領域部８１１、８１１の内側端部同士が当接し合うことによって、左右の透視領域部８１１、８１１により正面視円形の透視領域を形成する。これにより、左右の前扉部材８１が遮蔽位置にあっても、円形の透視領域越しに、表示領域７１に表示される映像や文字情報等を透視することができる。この場合、透視領域部８１１の内側端部に不透視部が存在しないため、表示領域７１に表示される映像や文字情報等を不透視部に遮られることなく明視することができる。さらには、図２、３に示すように、左右の透視領域部８１１、８１１に線画８１１ａ、８１１ａを描写することによって、左右の前扉部材８１、８１が遮蔽位置にあるとき、遊技領域７１に表示される映像や文字情報等に線画を組み合わせた演出を表示させることができる。
【００３６】
合成樹脂製の後扉部材８２は、後扉部材用上部レール９１２内に左右方向へ移動可能に係合する上スライド部８２１と、後扉部材用下部レール９２２内に左右方向へ移動可能に係合する下スライド部８２２と、表示領域７１を開閉可能な正面視矩形の透明または半透明の透視領域部をなす遮蔽部８２３と、遮蔽部８２３の外側端を補強する上下方向の補強部８２８とを有し、連結板９３の後面及び表示領域７１の前面に沿って左右方向へ移動可能に支持され、表示領域７１を遮蔽する遮蔽位置（図１及び図１２(ａ)(ｃ)）と、開放する開放位置（図３及び図１２(ａ)(ｄ)）とに移動可能である。
【００３７】
上スライド部８２１には、後扉部材用上部レール９１２内を転動する垂直軸廻りに回転するローラ８２６及び水平軸廻りに回転するローラ８２７が設けられている。また、下スライド部８２２にも、後扉部材用下部レール９２２内を転動する垂直軸廻りに回転するローラ（図示略）及び水平軸廻りに回転するローラ（図示略）が設けられている。
【００３８】
遮蔽部８２３は、後扉部材８２が遮蔽位置にあるとき、表示領域７１を遮蔽するとともに、表示領域７１に表示される遊技情報を透視可能かまたは輪郭や色彩等を僅かに視認できる程度の半透明に形成される。遮蔽部８２３の内側端部（左右の遮蔽部８２３の合わせ部分）には、後方へ所定量突出する折返し部８２４が設けられている。
【００３９】
なお、本発明の実施形態に係わる後扉部材８２における不透視部は、上、下スライド部８２１、８２２及び補強部８２８を含み、これらは、前扉部材８２、特に遮蔽部８２３を補強するため、遮蔽部８２３の板厚より厚く形成される。
【００４０】
後扉部材８２における下スライド部８２２の後面には、ラック８２５が左右方向に沿って設けられている。このラック８２５は、図１１に示すように、後扉部材用駆動装置１０Ｂにおける後述のピニオン１０１Ｂに噛合する。
【００４１】
折返し部８２４は、前後厚さが薄く形成される遮蔽部８２３の剛性を高めて、後扉部材８２全体の剛性を高める作用を有している。これにより、後扉部材８２が遮蔽位置にあるとき、互いの内側端部が変形することなく確実に当接し合うことができ、後扉部材８２の合わせ部分の隙間から表示領域７１が発する光が漏れることを防止する。また、折返し部８２４の後端は、表示領域７１に近接して、表示領域７１と後扉部材８２との間の隙間を僅かなものとしている。これにより、例えば、左右の前扉部材８１が開放位置にあって、左右の後扉部材８２のうち一方の後扉部材８２のみが開放位置にあるときなど、表示領域７１を遮蔽している他方の後扉部材８２の内側端部と表示領域７１との間から表示領域７１に表示されている映像が見えたりすることを防止して、見栄え良く表示領域７１を遮蔽することができる。
【００４２】
左右の前扉部材用駆動装置１０Ａ及び左右の後扉部材用駆動装置１０Ｂは、ブラケット１０２Ａ、１０２Ｂを介してベース部材１１の裏面に取り付けられるモータ１０３Ａ、１０３Ｂと、モータ１０３Ａ、１０３Ｂにより回転させられる垂直軸廻りに回転可能なピニオン１０１Ａ、１０１Ｂとをそれぞれ備えている。
【００４３】
左右の前扉部材用駆動装置１０Ａ、１０Ａは、左右の前扉部材８１、８１をそれぞれ左右方向へ直線移動させるもので、ベース部材１１の裏面上部の左右に取り付けられる。ピニオン１０１Ａ、１０１Ａは、ベース部材１１の左右上部に設けられた横長の開口部１１２、１１２からベース部材１１の表面に露出して、左右の前扉部材８１、８１のラック８１６、８１６にそれぞれ噛合し、モータ１０３Ａ、１０３Ａの動力を左右の前扉部材８１、８１に伝達する。
【００４４】
左右の後扉部材用駆動装置１０Ｂ、１０Ｂは、左右の後扉部材８２、８２を左右方向へ直線移動させるもので、ベース部材１１の裏面下部の左右に取り付けられる。ピニオン１０１Ｂ、１０１Ｂは、ベース部材１１の左右下部に設けられた横長の開口部１１３、１１３からベース部材１１の表面に露出して、左右の後扉部材８２、８２のラック８２５、８２５にそれぞれ噛合し、モータ１０３Ｂ、１０３Ｂの動力を左右の後扉部材８２、８２に伝達する。
【００４５】
次に、図１２に基づいて、前扉部材８１及び後扉部材８２の動作態様について説明する。
動作態様は、左右の各扉部材８１、８２が遮蔽位置にあって、前後に重畳した状態、すなわち表示装置７の表示領域７１を二重で遮蔽する図１２(ａ)に示す第１遮蔽態様と、後扉部材８２が開放位置にあり、前扉部材８１が遮蔽位置にある図１２(ｂ)に示す第２遮蔽態様と、前扉部材８１が開放位置にあり、後扉部材８２が遮蔽位置にある図１２(ｃ)に示す第３遮蔽態様と、全ての開閉体８１、８２が開放位置にあって、表示領域７１を完全に開放する図１２(ｄ)に示す開放態様と、左の後扉部材８２のみが遮蔽位置にあり、表示領域７１の左半分を遮蔽する半開態様と、右の後扉部材８２のみが遮蔽位置にあり、表示領域７１の右半分を遮蔽する半開態様とに、遊技状況に応じて変化可能である。
【００４６】
図１２(ａ)に示す第１遮蔽態様は、前扉部材８１と後扉部材８２が前後に重合して、表示領域７１を二重遮蔽しているため、表示領域７１に表示される映像や文字情報を殆んど視認することはできない。図１２(ｂ)に示す第２遮蔽態様は、左右の前扉部材８１のみが表示領域７１を遮蔽しているため、前扉部材８１における透視領域部８１１の範囲に限定して、透視領域部８１１に描写された線画８１１ａを混在させた形態で、表示領域７１に表示される映像や文字情報を視認することができる。図１２(ｃ)に示す第３遮蔽態様は、後扉部材８２のみが表示領域７１を遮蔽しているため、表示領域７１に表示される映像や文字情報の色彩や輪郭等を僅かに視認することができる。図１２(ｄ)に示す開放状態は、表示領域７１の前面に遮蔽物が存在しないため、表示領域７１に表示される映像や文字情報を全て明視することができる。図１２(ｅ)(ｆ)に示す半開態様は、表示領域７１の左半分または右半分を後扉部材８２の遮蔽部８２３により遮蔽して、表示領域７１の右半分または左半分に表示される遊技情報を明視することができ、また、遮蔽部８２３を半透明とした場合には、左半分または右半分に表示される遊技情報を遮蔽部８２３越しに半透視することができる。この場合には、表示領域７１と遮蔽部８２３の内側端部との間の隙間は、折返し部８２４に閉塞されるため、表示領域７１と遮蔽部８２３の内側端部との間の隙間からの遊技情報の露呈を最小限に抑えて、表示領域７１の半分を見栄え良く遮蔽することができる。
【００４７】
以上、本発明の実施形態について説明したが、本発明の要旨を逸脱しない範囲内で、本実施形態に対して、次のような種々の変形や変更を施すことが可能である。（ｉ）遊技機１を、遊技媒体がメダル（コインを含む）とするスロットマシンに代えて、遊技媒体がパチンコ玉であるパチンコ機、スロットマシン、及びその他の遊技機とする。
（ii）下側ガイド９２を、前扉部材用下部レール９２１が後扉部材用下部レール９２２に対してその外側、すなわち下側になるように、前扉部材用下部レール９２１と後扉部材用下部レール９２２とを上下に重畳配置する。または、下側ガイド９２のレールのみを上下に重畳配置する。
（iii）表示装置７における表示領域７１の前面に、前扉部材８１または後扉部材８２のいずれか一方のみを配置する。なお、前扉部材８１のみを配置した場合には、透視領域部８１１の内側端部に、折返し部８２４と同様な折返し部を一体的に設ける。
【図面の簡単な説明】
【００４８】
【図１】本発明を適用した遊技機の斜視図である。
【図２】表示ユニットの正面図である。
【図３】表示枠を外した状態の表示ユニットの正面図である。
【図４】斜め前方から見た表示ユニットの分解斜視図である。
【図５】斜め後方から見た表示ユニットの分解斜視図である。
【図６】ガイド手段の斜視図である。
【図７】後扉部材の斜視図である。
【図８】前扉部材の斜視図である。
【図９】開閉装置の斜視図である。
【図１０】図２におけるＸ−Ｘ線縦断面図である。
【図１１】要部の拡大縦断面図である。
【図１２】各扉部材の動作態様を説明するための開閉装置の概略平面図である。
【符号の説明】
【００４９】
１  遊技機（スロットマシン）
２  回転リール
３  筐体
４  前扉
５  表示ユニット
６  表示枠
７  表示装置
８  開閉装置
９  ガイド手段
１０Ａ  前扉部材用駆動装置
１０Ｂ  後扉部材用駆動装置
１１  ベース部材
１２  センター照明装置
１３  サイド照明装置
１４  スピーカ
２０  メダル投入部
２１  ベットボタン
２２  スタートレバー
２３  ストップボタン
４１  メダル受皿
４２  透視窓
７１  表示領域
８１  前扉部材
８２  後扉部材
９１  上側ガイド
９２  下側ガイド
９３  連結板
１０１Ａ、１０２Ｂ  ピニオン
１０２Ａ、１０２Ｂ  ブラケット
１０３Ａ、１０３Ｂ  モータ
１１１  開口
１１２、１１３  開口部
１２１  光源
１２２  センターレンズ
１３１  光源
１３２  サイドレンズ
８１１  透視領域部
８１１ａ  線画
８１２  不透視領域部（不透視部）
８１３  上スライド部（不透視部）
８１４  下スライド部（不透視部）
８１５  突条部
８１６  ラック
８１７、８１８  ローラ
８２１  上スライド部（不透視部）
８２２  下スライド部（不透視部）
８２３  遮蔽部（透視領域部）
８２４  折返し部
８２５  ラック
８２６、８２７  ローラ
８２８  補強部（不透視部）
９１１  前扉部材用上部レール
９１２  後扉部材用上部レール
９２１  前扉部材用下部レール
９２２  後扉部材用下部レール
【図１】
0005270853.tif 000002
【図２】
0005270853.tif 000003
【図３】
0005270853.tif 000004
【図４】
0005270853.tif 000005
【図５】
0005270853.tif 000006
【図６】
0005270853.tif 000007
【図７】
0005270853.tif 000008
【図８】
0005270853.tif 000009
【図９】
0005270853.tif 000010
【図１０】
0005270853.tif 000011
【図１１】
0005270853.tif 000012
【図１２】
0005270853.tif 000013